(57)【要約】【課題】スピンドルを、スピンドルの支持部から取り外すことに伴い、スピンドルが支持部に干渉することを抑制する。【解決手段】シート状のメディアが巻回されたロール体に記録する記録装置１であって、軸部材４ｃとギア４ｄとを有し、軸部材４ｃをロール体に通した状態でロール体を支持可能なスピンドル４と、スピンドル４を取り外し方向に移動させて取り外すことが可能な状態でスピンドル４を支持し、支持されたスピンドル４を回転させる駆動力をギア４ｄに付与可能な支持部５ａと、を備え、支持部５ａは、一方側からギア４ｄに当接する第１当接部１０と、他方側からギア４ｄに当接する第２当接部１１と、を有し、第１当接部１０及び第２当接部１１は、スピンドル４を取り外し方向に移動させた場合に、ギア４ｄの移動を干渉しないように構成されている。【選択図】図６
2019155626.tif 000002
【特許請求の範囲】
【請求項１】
シート状のメディアが巻回されたロール体に記録する記録装置であって、
軸部材と、前記軸部材の軸方向の一方側に固定され前記軸部材の外径よりも大きい外径のギアと、を有し、前記軸部材を前記ロール体に通した状態で前記ロール体を支持可能なスピンドルと、
前記スピンドルを取り外し方向に移動させて取り外すことが可能な状態で前記スピンドルを支持し、支持された前記スピンドルを回転させる駆動力を前記ギアに付与可能な支持部と、
を備え、
前記支持部は、前記一方側から前記ギアに当接する第１当接部と、前記一方側とは反対の他方側から前記ギアに当接する第２当接部と、を有し、
前記第１当接部は、前記軸方向から見て前記ギアと第１当接位置で当接し、
前記第２当接部は、前記軸方向から見て前記ギアと第２当接位置で当接し、
前記第１当接位置と前記第２当接位置とは、前記軸方向から見て前記取り外し方向において異なる位置にあることを特徴とする記録装置。
【請求項２】
請求項１に記載の記録装置において、
前記第１当接部は、前記第１当接位置で前記ギアと接触する接触部と、前記接触部と連続して形成されるとともに、前記軸方向と交差する方向において前記第１当接位置から離れるにつれて前記ギアとの間隔が広くなるように形成された傾斜部と、が形成されていることを特徴とする記録装置。
【請求項３】
請求項１又は２に記載の記録装置において、
前記第２当接部は、前記第２当接位置で前記ギアと接触する接触部と、前記接触部と連続して形成されるとともに、前記軸方向と交差する方向において前記第２当接位置から離れるにつれて前記ギアとの間隔が広くなるように形成された傾斜部と、が形成されていることを特徴とする記録装置。
【請求項４】
請求項１から３のいずれか１項に記載の記録装置において、
前記第１当接位置と前記第２当接位置とは、前記軸方向から見て前記取り外し方向と直交する直交方向において異なる位置にあることを特徴とする記録装置。
【請求項５】
シート状のメディアが巻回されたロール体に記録する記録装置であって、
軸部材と、前記軸部材の軸方向の一方側に固定され前記軸部材の外径よりも大きい外径のギアと、を有し、前記軸部材を前記ロール体に通した状態で前記ロール体を支持可能なスピンドルと、
前記スピンドルを取り外し方向に移動させて取り外すことが可能な状態で前記スピンドルを支持し、支持された前記スピンドルを回転させる駆動力を前記ギアに付与可能な支持部と、
を備え、
前記支持部は、前記一方側から前記ギアに当接する第１当接部と、前記一方側とは反対の他方側から前記ギアに当接する第２当接部と、を有し、
前記第１当接部及び前記第２当接部は、前記スピンドルを取り外し方向に移動させた場合に、前記ギアの移動を干渉しない位置であって前記ギアの移動を干渉しない形状で構成されていることを特徴とする記録装置。
【発明の詳細な説明】
【技術分野】
【０００１】
本発明は、記録装置に関する。
【背景技術】
【０００２】
従来から、様々な記録装置が使用されている。このうち、シート状のメディアが巻回されたロール体に記録する記録装置がある。一般的に、このような記録装置においては、軸部材と、該軸部材に固定されたギア（回転力を付与するための構成部材）とを有し、軸部材をロール体に通した状態でロール体を支持可能なスピンドルが使用される。  
例えば、特許文献１には、軸部材（小径円筒部）とギア（大径円盤部）とを兼ねたフランジ（スピンドルの一例）を備え、シート状のメディア（長尺の用紙）が巻回されたロール体（シートロール）に記録することが可能な記録装置（画像形成装置）が開示されている。
【先行技術文献】
【特許文献】
【０００３】
【特許文献１】特開２０１１−１３１４３４号公報
【発明の概要】
【発明が解決しようとする課題】
【０００４】
シート状のメディアが巻回されたロール体に記録する記録装置においては、ロール体のスピンドルへのセット時などにおいて、スピンドルを記録装置の支持部から取り外す。特許文献１においては、ユーザーがシートロールの両端部に取り付けられたフランジを片手ずつ掴んで記録装置の支持部から取り外す態様が記載されている。しかしながら、大型のシートロールを使用した場合、特許文献１に記載されるような方法でフランジが取り付けられているシートロールを記録装置の支持部から取り外すのは困難である。そこで、大型のシートロールを使用した場合、フランジが取り付けられているシートロールの回転中心軸方向における端部を片側ずつ支持部から取り外すことで、スピンドルを記録装置の支持部から取り外すことが考えられる。しかしながら、フランジが取り付けられているシートロールの回転中心軸方向における端部を片側ずつ支持部から取り外すと、支持部に対するフランジが取り付けられているシートロールの姿勢が支持部に支持された姿勢に対して傾く状態となるため、フランジが支持部に干渉し、フランジや支持部が変形または損傷する場合などがあった。
【０００５】
そこで、本発明は、スピンドルを記録装置の支持部から取り外すことに伴い、スピンドルが支持部に干渉することを抑制することを目的にする。
【課題を解決するための手段】
【０００６】
上記課題を解決するための本発明の第１の態様の記録装置は、シート状のメディアが巻回されたロール体に記録する記録装置であって、軸部材と、前記軸部材の軸方向の一方側に固定され前記軸部材の外径よりも大きい外径のギアと、を有し、前記軸部材を前記ロール体に通した状態で前記ロール体を支持可能なスピンドルと、前記スピンドルを取り外し方向に移動させて取り外すことが可能な状態で前記スピンドルを支持し、支持された前記スピンドルを回転させる駆動力を前記ギアに付与可能な支持部と、を備え、前記支持部は、前記一方側から前記ギアに当接する第１当接部と、前記一方側とは反対の他方側から前記ギアに当接する第２当接部と、を有し、前記第１当接部は、前記軸方向から見て前記ギアと第１当接位置で当接し、前記第２当接部は、前記軸方向から見て前記ギアと第２当接位置で当接し、前記第１当接位置と前記第２当接位置とは、前記軸方向から見て前記取り外し方向において異なる位置にあることを特徴とする。
【０００７】
本態様によれば、支持部の第１当接部は軸方向から見てギアと第１当接位置で当接し、支持部の第２当接部は軸方向から見てギアと第２当接位置で当接するが、第１当接位置と第２当接位置とは軸方向から見て取り外し方向において異なる位置にある。すなわち、第１当接部及び第２当接部は、スピンドルを取り外し方向に移動させた場合に、スピンドルの移動に伴うギアの移動を干渉しないように構成されている。このため、スピンドルを、スピンドルの支持部から取り外すことに伴い、スピンドルが支持部に干渉することを抑制できる。
【０００８】
本発明の第２の態様の記録装置は、前記第１の態様において、前記第１当接部は、前記第１当接位置で前記ギアと接触する接触部と、前記接触部と連続して形成されるとともに、前記軸方向と交差する方向において前記第１当接位置から離れるにつれて前記ギアとの間隔が広くなるように形成された傾斜部と、が形成されていることを特徴とする。
【０００９】
本態様によれば、第１当接部は、第１当接位置でギアと接触する接触部と、該接触部と連続して形成されるとともに、軸方向と交差する方向において第１当接位置から離れるにつれてギアとの間隔が広くなるように形成された傾斜部と、が形成されている。このため、スピンドルを、スピンドルの支持部から取り外すことに伴い、スピンドルが支持部に干渉することを特に効果的に抑制できる。
【００１０】
本発明の第３の態様の記録装置は、前記第１又は第２の態様において、前記第２当接部は、前記第２当接位置で前記ギアと接触する接触部と、前記接触部と連続して形成されるとともに、前記軸方向と交差する方向において前記第２当接位置から離れるにつれて前記ギアとの間隔が広くなるように形成された傾斜部と、が形成されていることを特徴とする。
【００１１】
本態様によれば、第２当接部は、第２当接位置でギアと接触する接触部と、該接触部と連続して形成されるとともに、軸方向と交差する方向において第２当接位置から離れるにつれてギアとの間隔が広くなるように形成された傾斜部と、が形成されている。このため、スピンドルを、スピンドルの支持部から取り外すことに伴い、スピンドルが支持部に干渉することを特に効果的に抑制できる。
【００１２】
本発明の第４の態様の記録装置は、前記第１から第３のいずれか１つの態様において、前記第１当接位置と前記第２当接位置とは、前記軸方向から見て前記取り外し方向と直交する直交方向において異なる位置にあることを特徴とする。
【００１３】
本態様によれば、第１当接位置と第２当接位置とは、取り外し方向において異なる位置にあるだけでなく、さらに軸方向から見て取り外し方向と直交する直交方向において異なる位置にあるので、スピンドルを、スピンドルの支持部から取り外すことに伴い、スピンドルが支持部に干渉することを特に効果的に抑制できる。
【００１４】
本発明の第５の態様の記録装置は、シート状のメディアが巻回されたロール体に記録する記録装置であって、軸部材と、前記軸部材の軸方向の一方側に固定され前記軸部材の外径よりも大きい外径のギアと、を有し、前記軸部材を前記ロール体に通した状態で前記ロール体を支持可能なスピンドルと、前記スピンドルを取り外し方向に移動させて取り外すことが可能な状態で前記スピンドルを支持し、支持された前記スピンドルを回転させる駆動力を前記ギアに付与可能な支持部と、を備え、前記支持部は、前記一方側から前記ギアに当接する第１当接部と、前記一方側とは反対の他方側から前記ギアに当接する第２当接部と、を有し、前記第１当接部及び前記第２当接部は、前記スピンドルを取り外し方向に移動させた場合に、前記ギアの移動を干渉しない位置であって前記ギアの移動を干渉しない形状で構成されていることを特徴とする。
【００１５】
本態様によれば、第１当接部及び第２当接部は、スピンドルを取り外し方向に移動させた場合に、ギアの移動を干渉しない位置であってギアの移動を干渉しない形状で構成されている。すなわち、第１当接部及び第２当接部は、スピンドルを取り外し方向に移動させた場合に、スピンドルの移動に伴うギアの移動を干渉しないように構成されている。このため、スピンドルを、スピンドルの支持部から取り外すことに伴い、スピンドルが支持部に干渉することを抑制できる。
【図面の簡単な説明】
【００１６】
【図１】本発明の実施例１に係る記録装置の概略斜視図。
【図２】本発明の実施例１に係る記録装置の概略斜視図。
【図３】本発明の実施例１に係る記録装置の概略斜視図。
【図４】本発明の実施例１に係る記録装置の概略斜視図。
【図５】本発明の実施例１に係る記録装置の支持部の概略平面図。
【図６】本発明の実施例１に係る記録装置の支持部の概略斜視図。
【図７】本発明の実施例１に係る記録装置の支持部の概略斜視図。
【図８】本発明の実施例１に係る記録装置のスピンドルの概略側面図。
【図９】本発明の実施例２に係る記録装置のスピンドルの概略側面図。
【発明を実施するための形態】
【００１７】
以下に、本発明の一実施例に係る記録装置１について、添付図面を参照して詳細に説明する。  
［実施例１］（図１〜図４）  
最初に、本発明の実施例１に係る記録装置１の概要について図１から図４を参照して説明する。
【００１８】
図１から図４は、本実施例に係る記録装置１の概略斜視図である。このうち、図１は、シート状のメディアが巻回されたロール体（メディアのロール）のセット部２をカバー３によりカバーした状態を表している。また、図２は、メディアのロールを支持可能なスピンドル４を支持部５に支持させた状態を表している。また、図３は、図２の状態からスピンドル４の端部４ｂを仮置き部６ｂに移動させた状態を表している。そして、図４は、図３の状態からスピンドル４の端部４ａを仮置き部６ａに移動させた状態を表している。  
なお、図１から図４においては、構成を分かり易くするために一部の構成部材を破線及び省略して表している。
【００１９】
ここで、図中のＸ方向は水平方向であってスピンドル４の軸部材４ｃの延びる方向であり、Ｙ方向は水平方向であってＸ方向と直交する方向、Ｚ方向は鉛直方向である。また、以下においては、矢印の先端側を＋方向、矢印の基端側を−方向とする。例えば、鉛直上方向は＋Ｚ方向、鉛直下方向は−Ｚ方向とする。そして、メディアの搬送方向は概ね＋Ｙ方向である。
【００２０】
本実施例の記録装置１は、シート状のメディアが巻回されたロール体に記録することが可能な記録装置である。図２から図４で表されるように、本実施例の記録装置１は、メディアのロール体を支持可能なスピンドル４を支持可能な支持部５（支持部５ａ及び支持部５ｂ）を有する、セット部２を備えている。
【００２１】
また、本実施例の記録装置１は、図１で表されるように、メディアの搬送方向と交差（直交）する往復方向（Ｘ方向）に移動するヘッドキャリッジ７を備えている。本実施例の記録装置１は、セット部２にセットされ概ね＋Ｙ方向に沿ってセット部２から搬送されるメディアに対して、ヘッドキャリッジ７に形成された記録ヘッドからインクを吐出して記録することが可能な構成になっている。
【００２２】
上記のように、本実施例の記録装置１では、メディアのロール体をスピンドル４に支持させる。そして、ロール体を支持したスピンドル４をセット部２にセットする。ここで、本実施例のスピンドル４は、軸部材４ｃと、軸部材４ｃの軸方向の一方側（−Ｘ方向側）の端部４ａに固定され軸部材４ｃの外径よりも大きい外径のギア４ｄ（図４から図７参照）と、を有している。そして、スピンドル４は、軸部材４ｃをメディアのロール体に通した状態で該ロール体を支持可能な構成になっている。ギア４ｄの外径が軸部材４ｃの外径よりも大きいのは、メディアを搬送させるため（すなわちスピンドル４を回転させるため）に、支持部５ａからギア４ｄに効果的に駆動力（回転力）を付与するためである。
【００２３】
なお、図２で表されるように、スピンドル４は、軸部材４ｃの軸方向の一方側（−Ｘ方向側）の端部４ａが支持部５ａに支持され、軸部材４ｃの軸方向の他方側（＋Ｘ方向側）の端部４ｂが支持部５ｂに支持されるようにして、セット部２にセットされる。記録装置１は、メディアのロール体を支持したスピンドル４をセット部２にセットし、該記録装置１内のメディア搬送経路（不図示）に該メディアを搬送させる（詳細には、少なくともヘッドキャリッジ７と対向する位置まで該メディアを搬送させる）ことで、該メディアに記録することが可能な状態となる。
【００２４】
ここで、スピンドル４におけるメディアのロール体のセット位置は、フランジ部４ｅ及びフランジ部４ｆの間の位置となる。フランジ部４ｅ及びフランジ部４ｆの少なくとも一方は、軸部材４ｃに対して軸方向に移動可能であるとともに取り外し可能である。そして、該ロール体におけるメディアが巻かれた紙管をフランジ部４ｅ及びフランジ部４ｆの紙管固定部８（図２から図７参照）に固定することで、スピンドル４にメディアのロール体をＸ方向において位置決めして固定することが可能な構成になっている。
【００２５】
スピンドル４にメディアのロール体をセットする際や、スピンドル４に支持されるメディアのロール体を交換する際などにおいては、スピンドル４はセット部２から取り外される。本実施例の記録装置１は、セット部２から取り外されたスピンドル４を仮置きする仮置き部６（仮置き部６ａ及び仮置き部６ｂ）を備えている。図２で表されるような状態でセット部２にセットされたスピンドル４を取り外す際、一旦、図３で表されるような状態（端部４ｂを仮置き部６ｂに載置した状態）とし、図３のような状態の後、図４で表されるような状態（さらに端部４ａを仮置き部６ａに載置した状態）とすることができる。このため、本実施例の記録装置１は、作業者が一人で簡単に、図２で表されるような状態から図４で表されるような状態にスピンドル４を移動させることが可能な構成になっている。
【００２６】
なお、図２で表される状態から図３で表される状態にスピンドル４を移動する際（支持部５ｂから仮置き部６ｂに端部４ｂを移動する際）、スピンドル４の移動を容易にする（スピンドル４を転がして移動できる）ため、支持部５ｂと仮置き部６ｂとの間には、なだらかな斜面１４（図２参照）が形成されている。同様に、図３で表される状態から図４で表される状態にスピンドル４を移動する際（支持部５ａから仮置き部６ａに端部４ａを移動する際）、スピンドル４の移動を容易にする（スピンドル４を転がして移動できる）ため、支持部５ａと仮置き部６ａとの間には、なだらかな斜面１５（図５から図７参照）が形成されている。
【００２７】
ここで、図２と図３とを比較するとわかるように、図２で表されるような状態から図３で表されるような状態にスピンドル４を移動させると、端部４ａを基準（基準軸）として支持部５ａ側においてスピンドル４がセット部２（支持部５）に対して回動（取り外し方向Ａとしての回動方向に移動）する。スピンドル４には、メディアを送る（搬送する）際に該スピンドル４を回転させるためのギア４ｄが設けられているが、支持部５ａからギア４ｄに効果的に駆動力（回転力）を付与するためには、ギア４ｄは支持部５ａに効果的に位置決め（軸部材４ｃに沿って位置がずれないように規制）されている必要がある。しかしながら、支持部５ａにおけるギア４ｄの位置決め構成によっては、スピンドル４を取り外し方向Ａに移動させるとギア４ｄが支持部５ａの位置決め構成部材と干渉（接触）し、位置決め構成部材と干渉した状態でスピンドル４を取り外し方向Ａに強引に移動させることで、スピンドル４や支持部５ａが変形または損傷する虞がある。そこで、本実施例の記録装置１では、スピンドル４を取り外し方向Ａに移動させた場合でも、ギア４ｄが支持部５ａの位置決め構成部材と干渉しないような構成となっている。特に、スピンドル４を取り外す際、端部４ａを支持部５ａに残した状態で、支持部５ｂから端部４ｂを仮置き部６ｂの方へ移動する時に、スピンドル４が端部４ａを基準軸として回動することを許容する構成となっている。
【００２８】
そこで、以下に、支持部５ａの詳細な構成について説明する。  
ここで、図５は、本実施例の記録装置１の支持部５ａの概略平面図である。また、図６は、図５で示した概略平面図の視点方向を、Ｘ軸を回転軸として鉛直方向（Ｚ方向）から角度を付けて拡大した図である。さらに、図７は、本実施例の記録装置１の支持部５ａの概略斜視図である。そして、図８は、本実施例の記録装置１のスピンドル４（ギア４ｄ）の概略側面図である。なお、図７では、本実施例の説明に必要な構成以外は省略している。
【００２９】
図５から図７で表されるように、支持部５ａには、ギア４ｄに駆動力（回転力）を付与する駆動部９と、ギア４ｄを位置決めする第１当接部１０及び第２当接部１１と、を有している。また、図５から図７で表されるように、第１当接部１０は軸部材４ｃの軸方向の一方側（−Ｘ方向側）からギア４ｄに当接し、第２当接部１１は軸部材４ｃの軸方向の他方側（＋Ｘ方向側）からギア４ｄに当接する。
【００３０】
ここで、図８では、第１当接部１０とギア４ｄとの当接位置である第１当接位置１２と、第２当接部１１とギア４ｄとの当接位置である第２当接位置１３とが表されている。別の表現をすると、図８で表されるように、第１当接部１０は、側面視で（軸部材４ｃの軸方向から見て）ギア４ｄと第１当接位置１２で−Ｘ方向側から当接し、第２当接部１１は、側面視でギア４ｄと第２当接位置１３で＋Ｘ方向側から当接している。そして、図８で表されるように、第１当接位置１２と第２当接位置１３とは、側面視で取り外し方向Ａにおいて異なる位置にある。詳細には、図２で表されるような状態から図３で表されるような状態にスピンドル４を移動させる際のスピンドル４の移動方向を、取り外し方向Ａのうちの取り外し方向Ａ１（ギア４ｄがある側とは異なる側（支持部５ｂ側）においてスピンドル４を移動する（取り外す）際のスピンドル４の移動方向）とすると、第１当接位置１２と第２当接位置１３とは、以下のような位置関係となっている。すなわち、図８で表されるように、スピンドル４の外側（−Ｘ方向側）の当接位置である第１当接位置１２は取り外し方向Ａ１における上流側となり、スピンドル４の内側（＋Ｘ方向側）の当接位置である第２当接位置１３は取り外し方向Ａ１における下流側となっている。
【００３１】
ここで、一旦まとめると、本実施例の記録装置１は、シート状のメディアが巻回されたロール体に記録する記録装置である。  
そして、本実施例の記録装置１は、軸部材４ｃと、軸部材４ｃの軸方向の一方側に固定され軸部材４ｃの外径よりも大きい外径のギア４ｄと、を有し、軸部材４ｃをロール体に通した状態でロール体を支持可能なスピンドル４を備えている。また、本実施例の記録装置１は、スピンドル４を取り外し方向Ａに移動させて取り外すことが可能な状態でスピンドル４を支持し、支持されたスピンドル４を回転させる駆動力をギア４ｄに付与可能な支持部５ａを備えている。  
ここで、支持部５ａは、一方側（−Ｘ方向側）からギア４ｄに当接する第１当接部１０と、該一方側とは反対の他方側（＋Ｘ方向側）からギア４ｄに当接する第２当接部１１と、を有している。そして、図８で表されるように、第１当接部１０は軸部材４ｃの軸方向から見てギア４ｄと第１当接位置１２で当接し、第２当接部１１は軸部材４ｃの軸方向から見てギア４ｄと第２当接位置１３で当接し、第１当接位置１２と第２当接位置１３とは軸部材４ｃの軸方向から見て取り外し方向Ａにおいて異なる位置にある。
【００３２】
このように、本実施例の記録装置１においては、支持部５ａの第１当接部１０は軸部材４ｃの軸方向から見てギア４ｄと第１当接位置１２で当接し、支持部５ａの第２当接部１１は軸部材４ｃの軸方向から見てギア４ｄと第２当接位置１３で当接するが、第１当接位置１２と第２当接位置１３とは軸部材４ｃの軸方向から見て取り外し方向Ａにおいて異なる位置にある。すなわち、本実施例の記録装置１においては、第１当接部１０及び第２当接部１１は、スピンドル４を取り外し方向Ａに移動させた場合に、スピンドル４の移動に伴うギア４ｄの移動を干渉しないように構成されている。このため、本実施例の記録装置１は、スピンドル４を支持部５（セット部２）から取り外すことに伴い、スピンドル４が支持部５ａに干渉することを抑制できる構成になっている。
【００３３】
ここで、スピンドル４の「取り外し方向Ａ」とは、厳密な意味での一方向ではなく、例えば取扱説明書などで指定された方法など、想定される方法によりスピンドル４を、スピンドル４の支持部５から取り外すことに伴って移動し得る方向の振れ幅を含む意味である。ただし、想定外の方法でスピンドル４を、スピンドル４の支持部５から取り外すことに伴って移動する方向までも含むものではない。  
なお、「軸部材４ｃをロール体に通した状態で」とは、軸部材４ｃの少なくとも一部がロール体を通っていればよいことを意味し、ロール体の端部から端部まで貫通していることまでは要さない意味である。このため、軸部材４ｃの軸方向の長さは、絶対的な長さと言う観点においても、ロール体の幅に対する相対的な長さと言う観点においても、特に限定が無い。別の表現をすると、本発明におけるスピンドル４は、軸部材４ｃがシート状のメディアを巻回している紙管などを貫通する構成に限定されず、該紙管などの端部に所謂フランジなどを取り付けるだけの構成も含む意味である。
【００３４】
また、別の表現で本実施例の記録装置１について説明すると、本実施例の第１当接部１０及び第２当接部１１は、スピンドル４を取り外し方向Ａに移動させた場合に、ギア４ｄの移動を干渉しない位置であってギア４ｄの移動を干渉しない形状で構成されている。すなわち、第１当接部１０及び第２当接部１１は、スピンドル４を取り外し方向Ａに移動させた場合に、スピンドル４の移動に伴うギア４ｄの移動を干渉しないように構成されている。このため、本実施例の記録装置１は、スピンドル４を支持部５から取り外すことに伴い、スピンドル４が支持部５ａに干渉することを抑制できる構成になっている。
【００３５】
また、図５から図７で表されるように、本実施例の第１当接部１０は、−Ｘ方向側を底面、＋Ｘ方向側を頂点部分（接触部１０ａ）とし、各辺及び頂点部分（接触部１０ａ）が丸められた（面取りされた）略四角錐形状をしている。そして、本実施例の第１当接部１０は、ギア４ｄに対して接触部１０ａにおいて点接触する構成である。  
別の表現をすると、本実施例の第１当接部１０は、第１当接位置１２でギア４ｄと接触する接触部１０ａと、接触部１０ａと連続して形成されるとともに、軸方向と交差する方向において第１当接位置１２から離れるにつれてギア４ｄとの間隔が広くなるように形成された傾斜部１０ｂと、が形成されている。  
このため、本実施例の記録装置１は、スピンドル４を支持部５から取り外すことに伴い、スピンドル４が支持部５ａに干渉することを効果的に抑制できる構成になっている。特に、スピンドル４を取り外す際、端部４ａを支持部５ａに残した状態で、支持部５ｂから端部４ｂを仮置き部６ｂの方へ移動する時に、スピンドル４が端部４ａを基準軸として回動し易く、スピンドル４が支持部５ａに干渉することを効果的に抑制できる構成になっている。
【００３６】
一方、図５から図７で表されるように、本実施例の第２当接部１１は、−Ｘ方向側にギア４ｄへの接触面１１ａを有する構成であり、ギア４ｄに対して接触面１１ａにおいて面接触する構成である。  
しかしながら、第１当接部１０と同様、第２当接部１１を、第２当接位置１３でギア４ｄと接触する接触部と、該接触部と連続して形成されるとともに、軸方向と交差する方向において第２当接位置１３から離れるにつれてギア４ｄとの間隔が広くなるように形成された傾斜部と、が形成されている構成としてもよい。このような構成とすることで、スピンドル４を、スピンドル４の支持部５から取り外すことに伴い、スピンドル４が支持部５ａに干渉することを効果的に抑制できる。特に、スピンドル４を取り外す際、端部４ａを支持部５ａに残した状態で、支持部５ｂから端部４ｂを仮置き部６ｂの方へ移動する時に、スピンドル４が端部４ａを基準軸として回動し易く、スピンドル４が支持部５ａに干渉することを効果的に抑制できる。
【００３７】
上記のように、本実施例の支持部５ａにおいては、第１当接部１０がギア４ｄに対して点接触する構成である（第２当接部１１はギア４ｄに対して面接触する）。このように、第１当接部１０及び第２当接部１１の少なくとも一方が、ギア４ｄに対して点接触する構成であることが好ましい。このような構成とすることで、スピンドル４が端部４ａを基準軸として回動し易くなり、スピンドル４を、スピンドル４の支持部５から取り外すことに伴い、スピンドル４が支持部５ａに干渉することを特に効果的に抑制できるためである。  
なお、ここで「点接触」とは、マクロな視点で見て点接触であればよい意味であり、マクロな視点で見て点接触であればミクロな視点で見ると線接触や面接触である場合も含む意味である。
【００３８】
本実施例の記録装置１は、図８で表されるように、第１当接位置１２と第２当接位置１３とは、軸部材４ｃの軸方向から見て取り外し方向Ａにおいて異なる位置にあるが、軸部材４ｃの軸方向から見て取り外し方向Ａと直交する直交方向Ｂにおいては同じ位置（一方が他方を含む位置）にある。しかしながら、第１当接位置１２と第２当接位置１３とが軸部材４ｃの軸方向から見て取り外し方向Ａにおいて異なる位置にあればよく、このような構成に限定されない。  
次に、第１当接位置１２と第２当接位置１３とが該直交方向Ｂにおいて異なる位置（一方が他方を含まない位置）にある、実施例２の記録装置１について説明する。
【００３９】
［実施例２］（図９）  
図９は本実施例の記録装置１のスピンドル４（ギア４ｄ）の概略側面図であり、実施例１の記録装置１の図８に対応する図である。なお、上記実施例１と共通する構成部材は同じ符号で示しており、詳細な説明は省略する。  
ここで、本実施例の記録装置１は、第１当接位置１２の位置以外は、実施例１の記録装置１と同様の構成である。
【００４０】
図９で表されるように、本実施例の記録装置１においては、第１当接位置１２と第２当接位置１３とは、軸部材４ｃの軸方向から見て取り外し方向Ａと直交する直交方向Ｂにおいて異なる位置にある。すなわち、本実施例の記録装置１においては、第１当接位置１２と第２当接位置１３とは、取り外し方向Ａにおいて異なる位置にあるだけでなく、さらに軸方向から見て取り外し方向と直交する直交方向Ｂにおいて異なる位置にあるので、軸部材４ｃの軸方向に沿って位置がずれないように、より規制することができる。また、実施例１と同様に、スピンドル４が端部４ａを基準軸として回動し易いため、スピンドル４を、スピンドル４の支持部５から取り外すことに伴い、スピンドル４が支持部５ａに干渉することを効果的に抑制できる。
【００４１】
なお、本発明は上記実施例に限定されることなく、特許請求の範囲に記載した発明の範囲内で種々の変形が可能であり、それらも本発明の範囲内に含まれることは言うまでもない。
【符号の説明】
【００４２】
１…記録装置、２…スピンドル４のセット部、３…カバー、４…スピンドル、
４ａ…スピンドル４の一方側の端部、４ｂ…スピンドル４の他方側の端部、
４ｃ…軸部材、４ｄ…ギア、４ｅ…フランジ部、４ｆ…フランジ部、
５…支持部、５ａ…支持部、５ｂ…支持部、６…仮置き部、６ａ…仮置き部、
６ｂ…仮置き部、７…ヘッドキャリッジ、８…紙管固定部、９…駆動部、
１０…第１当接部、１０ａ…接触部、１０ｂ…傾斜部、１１…第２当接部、
１１ａ…接触面、１２…第１当接位置、１３…第２当接位置、１４…斜面、
１５…斜面
【図１】
2019155626.tif 000003
【図２】
2019155626.tif 000004
【図３】
2019155626.tif 000005
【図４】
2019155626.tif 000006
【図５】
2019155626.tif 000007
【図６】
2019155626.tif 000008
【図７】
2019155626.tif 000009
【図８】
2019155626.tif 000010
【図９】
2019155626.tif 000011